(57)【特許請求の範囲】
【請求項１】
開閉動作可能なフォルダーカバーと、
前記フォルダーカバーの一方の面側に設けられ、ｎ個の第１信号電極とｋ個のスキャン電極を備えた第１表示手段と、
前記フォルダーカバーの他方の面側に設けられ、ｎ個の第２信号電極とｍ−ｋ個のスキャン電極を備えた第２表示手段と、
前記第１表示手段のｋ個のスキャン電極に接続されたｋ個のスキャン電極ラインを含むｍ個のスキャン電極ライン、及びｎ個の前記第１信号電極のそれぞれの一方の端に接続されているｎ個の信号電極ラインを備えて前記第１表示手段及び第２表示手段を駆動するドライバ、
前記第１表示手段のｎ個の前記第１信号電極のそれぞれの他方の端と前記第２表示手段の第２信号電極の対応するそれぞれの一方の端とを接続し且つ前記ドライバのｍ−ｋ個のスキャン電極ラインを前記第２表示手段のｍ−ｋ個のスキャン電極に接続している可撓性印刷回路基板（ＦＰＣ）、及び
前記フォルダーカバーの開閉を検出して、開閉信号を出力する手段とからなり、
前記ドライバは、前記開閉信号に応答して、前記第１表示手段に接続されたｋ個のスキャン電極ライン又は前記第２表示手段に接続されたｍ−ｋ個のスキャン電極ラインのいずれか一方のみを走査して、前記第１表示手段又は前記第２表示手段のいずれか一方のみを表示されるようにしていることを特徴とする移動端末機。
【請求項２】
前記第１表示手段と第２表示手段は共通の導光板を挟んでそれらの表示裏面を背面合せにして前記フォルダーカバーに取り付けられている請求項１に記載の移動端末機。
【請求項３】
前記共通の導光板の一部に積層される遮光膜をさらに含むことを特徴とする請求項２に記載の移動端末機。
【請求項４】
前記遮光膜上に前記ドライバが配置されていることを特徴とする請求項３に記載の移動端末機。
【請求項５】
前記ドライバは前記第１表示手段と可撓性印刷回路基板（ＦＰＣ）を介して連結されることを特徴とする請求項４に記載の移動端末機。
【請求項６】
前記第１表示手段と前記第２表示手段は可撓性印刷回路基板（ＦＰＣ）を介して連結されることを特徴とする請求項４に記載の移動端末機。
【請求項７】
前記第１表示手段と第２表示手段は可撓性印刷回路基板（ＦＰＣ）を介して連結されることを特徴とする請求項１に記載の移動端末機。
【発明の詳細な説明】
【０００１】
【発明の属する技術分野】
本発明は移動通信端末機に関し、特に一つの駆動手段で複数個の液晶表示素子が駆動できるようにすることで、フォルダー型移動通信端末機においてフォルダーカバーを解放せずに発信者情報及び端末機の状態情報を認識できるようにした移動通信端末機及び移動通信端末機の表示装置に関する。
【０００２】
【従来の技術】
以下、一般的な液晶表示装置を説明する。
【０００３】
図１は一般の液晶表示装置の構造断面図１０であり、図２は一般の液晶表示装置を用いた移動通信端末機の両面表示装置の構成図である。
【０００４】
一般的に液晶表示装置は、図１で分かるように、スキャン電極パターン及び信号電極パターンと画素電極パターンが形成される下部基板１３と、共通電極パターン及びブラックマトリックスとカラーフィルター層が形成される上部基板１２と、前記上部基板１２と下部基板１３の間に注入される液晶１４から構成されている。
【０００５】
また、前記上部基板１２の上部面と下部基板１３の下部面のそれぞれに文字や数字、または図形がディスプレイされる過程にて光の屈折による位相差を補償するための偏光板１１、１５が配置され、前記偏光板１５の底面部に光の前方反射のための反射板１６が配置されている。
【０００６】
前記で液晶１４が注入される上部基板１２と下部基板１３はガラスを用いたり光透過性の良好なフィルムからなっており、上部基板１２と下部基板１３に形成される電極のパターンとしてドットマトリックス方式やセグメント方式、またはドットマトリックス方式とセグメント方式とを混用した方式などがある。
【０００７】
このような構成を有する二つの液晶表示装置を任意の製品に適用して、文字や数字及び図形などを製品の両面にディスプレイするための装置は次の通りである。
【０００８】
図２で分かるように、信号電極とスキャン電極をそれぞれ備えた第１、第２液晶表示装置２６ａ、２６ｂと、入力される映像信号を分析して、文字や数字または図形のディスプレイのための制御信号を出力するコントローラ２１と、揮発性メモリ素子として入力される信号を一時貯蔵したりブートしたデータを貯蔵して、前記コントローラ２１の処理動作が迅速に行われるようにする第１メモリ２２と、不揮発性メモリ素子として前記コントローラ２１の全般的な運用アルゴリズムが設定される第２メモリ２３と、前記コントローラ２１の制御信号に従って前記第１液晶表示装置２６ａの信号電極及びスキャン電極を駆動し、映像信号をディスプレイする第１ドライバ２４ａと、前記コントローラ２１の制御信号に従って前記第２液晶表示装置２６ｂの信号電極及びスキャン電極を駆動し、映像信号をディスプレイする第２ドライバ２４ｂと、前記第１、第２ドライバ２４ａ、２４ｂのために前記コントローラ２１から印加される文字や数字及び図形の実現のための信号を貯蔵する第１、第２フレームメモリ２５ａ、２５ｂと、がそれぞれ備えられている。
【０００９】
即ち、別個の信号電極及びスキャン電極を備えた二つの液晶表示装置を備え、それぞれの液晶表示装置を駆動するためのドライバが二つ備えられている。
【００１０】
以下、このように二つの液晶表示装置を一つの面の前後に取り付けて実現した両面表示装置の動作を説明する。
【００１１】
システムに電源が供給されると、コントローラ２１は第２メモリ２３に貯蔵されている運用プログラムをアクセスして、システムの初期化ブートを維持した状態で外部から文字や数字または図形のディスプレイのための信号の入力を検出する。
【００１２】
このとき、外部から信号の入力が検出されると、コントローラ２１は入力信号を第１メモリ２２と第２メモリ２３に設定されている運用アルゴリズム及び分析プログラムを通して分析した後、文字や数字または図形のディスプレイのための制御信号を第１、第２ドライバ２４ａ、２４ｂに印加する。
【００１３】
第１、第２ドライバ２４ａ、２４ｂは前記コントローラ２１から入力されるディスプレイのための制御信号に従って、システムの任意の位置の内外部に両面ディスプレイのために取り付けられた第１、第２液晶表示装置２６ａ、２６ｂのスキャン電極と信号電極に該文字や数字または図形のディスプレイのためのドライブ信号を印加して、第１、第２液晶表示装置２６ａ、２６ｂに同一文字や数字、または図形をディスプレイさせる。
【００１４】
このとき、第１、第２フレームメモリ２５ａ、２５ｂはコントローラ２１からディスプレイ制御のために印加される文字や数字または図形のディスプレイのための制御信号をフレーム単位で処理して貯蔵した後、前記第１、第２ドライバ２４ａ、２４ｂのアクセス信号に従って、該メモリ領域に貯蔵されているフレーム単位の信号を出力して、前記第１、第２液晶表示装置２６ａ、２６ｂの該文字や数字または図形のディスプレイを安定に維持させる。
【００１５】
しかし、この種の従来の両面表示装置は次のような問題点があった。
【００１６】
第一に、文字や数字、図形を両面ディスプレイするためには、別個の二つの液晶表示装置を用いなければならず、その二つの液晶表示装置を駆動するためには、それぞれに対応する駆動装置を備えなければならない。そして、両面同時ディスプレイのためには制御アルゴリズムを重複して用いるため、電力消費が増加し、且つシステムの製作原価が上昇する。
【００１７】
第二に、二つの液晶表示装置を駆動させるためには、それぞれ対応する駆動装置を備えなければならないから、システム内部の空間の相当量を占めるようになり、製品の軽量化及びスリム化を阻害する。例えば、フォルダー型移動通信端末機で発信者情報の確認や受信文字の確認、時間情報の判読などをフォルダーカバーを解放せずに実行できるようにするために、二つの液晶表示装置をフォルダーカバーの内外部面にそれぞれ取り付けなければならないから、小型化、軽量化のためのフォルダー型移動通信端末機の趣旨を離れるものとなる。また、高価な液晶表示装置及び駆動装置の追加に伴い値段が上昇する不具合がある。
【００１８】
【発明が解決しようとする課題】
本発明は上記問題点を解決するためなされたものであり、二つの液晶表示装置を一つの駆動手段で駆動させることにより低電力を使用し、且つ限定空間の効率的使用及び製作原価を節減し、移動通信端末機に適用する場合は、フォルダーカバーを解放せずに発信者情報の確認や受信メッセージ及び時間情報などが確認できるなど便利性を提供し、移動通信端末機のスリム化及び軽量化を提供することにその目的がある。
【００１９】
【課題を解決するための手段】
上記目的を達成するための本発明の移動通信端末機は、開閉動作可能なフォルダーカバーと、フォルダーカバーの一方の側に設けられ、ｎ個の第１信号電極とｋ個のスキャン電極を備えた第１表示手段と、フォルダーカバーの他方の側に設けられ、ｎ個の第２信号電極とｍ−ｋ個のスキャン電極を備えた第２表示手段と、第１表示手段のｋ個のスキャン電極と前記第２表示手段のｍ−ｋ個のスキャン電極に連結されるｍ個のスキャン電極ライン、及び前記第１信号電極のうち一つと前記第２信号電極のうち一つに相応してそれぞれ連結されるｎ個の信号電極ラインを備えて前記第１表示手段及び第２表示手段を駆動するドライバとを含むことを特徴とする。
【００２０】
また、上記のような目的を達成するための本発明の移動通信端末機は、第１表示手段及び第２表示手段が表示されるように制御するための制御信号をドライバに供給するコントローラを更に含むことを特徴としてもよい。
【００２１】
また、上記のような目的を達成するための本発明の移動通信端末機は、フォルダーカバーが開の位置にある時、コントローラは第１表示手段が表示されるように制御することを特徴としてもよい。
【００２２】
また、上記のような目的を達成するための本発明の移動通信端末機は、フォルダーカバーが閉の位置にある時、コントローラは第２表示手段が表示されるように制御することを特徴としてもよい。
【００２３】
また、上記のような目的を達成するための本発明の移動通信端末機は、フォルダーカバーが開の位置にある時第１位置を維持し、フォルダーカバーが閉の位置にある時第２位置を維持するフォルダースイッチを更に含むことを特徴としてもよい。
【００２４】
また、上記のような目的を達成するための本発明の移動通信端末機は、コントローラはフォルダースイッチから表示選択信号を受信して、表示選択信号に従って第１及び第２表示手段のうち一方が表示されるようにし、他方は表示されないようにすることを特徴としてもよい。
【００２５】
また、上記のような目的を達成するための本発明の移動通信端末機は、開閉動作可能なフォルダーカバーと、フォルダーカバーの一方の側に設けられ、ｎ個の第１スキャン電極とｋ個の信号電極を備えた第１表示手段と、フォルダーカバーの他方の側に設けられ、ｎ個の第２スキャン電極とｍ−ｋ個の信号電極を備えた第２表示手段と、第１表示手段のｋ個の信号電極と前記第２表示手段のｍ−ｋ個の信号電極に連結されるｍ個の信号電極ライン、及び前記第１信号電極のうち一つと前記第２信号電極のうち一つに相応してそれぞれ連結されるｎ個のスキャン電極ラインを備えて、前記第１表示手段及び第２表示手段を駆動するドライバとを含むことを他の特徴とする。
【００２６】
また、上記のような目的を達成するための本発明の移動通信端末機は、第１表示手段及び第２表示手段が表示されるように制御するための制御信号をドライバに供給するコントローラを更に含むことを特徴としてもよい。
【００２７】
また、上記のような目的を達成するための本発明の移動通信端末機は、フォルダーカバーが開の位置にある時、コントローラは第１表示手段が表示されるように制御することを特徴としてもよい。
【００２８】
また、上記のような目的を達成するための本発明の移動通信端末機は、フォルダーカバーが閉の位置にある時、コントローラは第２表示手段が表示されるように制御することを特徴としてもよい。
【００２９】
また、上記のような目的を達成するための本発明の移動通信端末機は、フォルダーカバーが開の位置にある時第１位置を維持し、フォルダーカバーが閉の位置にある時第２位置を維持するフォルダースイッチを更に含むことを特徴としてもよい。
【００３０】
また、上記のような目的を達成するための本発明の移動通信端末機は、コントローラはフォルダースイッチから表示選択信号を受信して、表示選択信号に従って第１及び第２表示手段のうち一方が表示されるようにし、他方は表示されないようにすることを特徴としてもよい。
【００３１】
一方、上記のような目的を達成するための本発明の移動通信端末機の表示装置は、複数個の第１ピクセルを定義する複数個の第１信号電極と複数個の第１スキャン電極とを有する第１液晶表示装置と、複数個の第２ピクセルを定義する複数個の第２信号電極と複数個の第２スキャン電極とを有する第２液晶表示装置と、第１及び第２スキャン電極に連結される複数個のスキャン電極ライン、及び前記第１信号電極のうち一つと前記第２信号電極のうち一つに相応してそれぞれ連結される複数個の信号電極ラインを備えて、前記第１液晶表示装置及び第２液晶表示装置を駆動するドライバとを含むことを特徴とする。
【００３２】
また、上記のような目的を達成するための本発明の移動通信端末機の表示装置は、第１液晶表示装置及び第２液晶表示装置が表示されるように制御するための制御信号をドライバに供給するコントローラを更に含むことを特徴としてもよい。
【００３３】
また、上記のような目的を達成するための本発明の移動通信端末機の表示装置は、第１及び第２液晶表示装置にバックライトを供給する共通導光板を更に含むことを特徴としてもよい。
【００３４】
また、上記のような目的を達成するための本発明の移動通信端末機の表示装置は、第１液晶表示装置及び第２液晶表示装置は共通導光板の反対側にそれぞれ位置することを特徴としてもよい。
【００３５】
また、上記のような目的を達成するための本発明の移動通信端末機の表示装置は、ドライバは第２液晶表示装置のように共通導光板の同一側面に位置されることを特徴としてもよい。
【００３６】
また、上記のような目的を達成するための本発明の移動通信端末機の表示装置は、複数個の信号電極ライン及び複数個のスキャン電極ラインはフレキシブルワイヤにより構成されることを特徴としてもよい。
【００３７】
また、上記のような目的を達成するための本発明の移動通信端末機の表示装置は、複数個の信号電極ラインはドライバと第１液晶表示装置の複数個の第１信号電極とを連結する複数個の第１信号電極ラインと、複数個の第１信号電極と第２液晶表示装置の複数個の第２信号電極とを連結する複数個の第２信号電極ラインとを含むことを特徴としてもよい。
【００３８】
また、上記のような目的を達成するための本発明の移動通信端末機の表示装置は、複数個の第１ピクセルを定義する複数個の第１信号電極と複数個の第１スキャン電極とを有する第１液晶表示装置と、複数個の第２ピクセルを定義する複数個の第２信号電極と複数個の第２スキャン電極とを有する第２液晶表示装置と、第１及び第２信号電極に連結される複数個の信号電極ライン、及び前記第１スキャン電極のうち一つと前記第２スキャン電極のうち一つに相応してそれぞれ連結される複数個のスキャン電極ラインを備えて、前記第１液晶表示装置と第２液晶表示装置を駆動するドライバとを含むことを他の特徴とする。
【００３９】
また、上記のような目的を達成するための本発明の移動通信端末機の表示装置は、第１液晶表示装置及び第２液晶表示装置が表示されるように制御するための制御信号をドライバに供給するコントローラを更に含むことを特徴としてもよい。
【００４０】
また、上記のような目的を達成するための本発明の移動通信端末機の表示装置は、第１及び第２液晶表示装置にバックライトを供給する共通導光板を更に含むことを特徴としてもよい。
【００４１】
また、上記のような目的を達成するための本発明の移動通信端末機の表示装置は、第１液晶表示装置及び第２液晶表示装置は共通導光板の反対側にそれぞれ位置することを特徴としてもよい。
【００４２】
また、上記のような目的を達成するための本発明の移動通信端末機の表示装置は、ドライバは第２液晶表示装置のように共通導光板の同一側面に位置されることを特徴としてもよい。
【００４３】
また、上記のような目的を達成するための本発明の移動通信端末機の表示装置は、複数個の信号電極ライン及び複数個のスキャン電極ラインはフレキシブルワイヤにより構成されることを特徴としてもよい。
【００４４】
また、上記のような目的を達成するための本発明の移動通信端末機の表示装置は、複数個のスキャン電極ラインはドライバと第１液晶表示装置の複数個の第１スキャン電極とを連結する複数個の第１スキャン電極ラインと、複数個の第１スキャン電極と第２液晶表示装置の複数個の第２スキャン電極とを連結する複数個の第２スキャン電極ラインとを含むことを特徴としてもよい。
【００４５】
【発明の実施の形態】
以下、本発明の移動通信端末機及び移動通信端末機の表示装置を添付の図面に基づいて説明する。
【００４６】
図３は本発明による二つの液晶表示装置が一つの駆動手段に連結される状態を示す構成図である。
【００４７】
本発明の移動通信端末機の表示装置はドライバ１００、第１液晶表示装置２００及び第２液晶表示装置３００からなり、信号電極ラインを共通にして前記一つのドライバ１００が第１、第２液晶表示装置を駆動するようにしたものである。
【００４８】
即ち、前記ドライバ１００はｎ個の信号電極ライン（ＳＥＧ１−ＳＥＧｎ）とｍ個のスキャン電極ライン（ＣＯＭ１−ＣＯＭｍ）の駆動を調整して、システムコントローラから印加される制御信号に従って、第１、第２液晶表示装置２００、３００に数字や文字、図形のディスプレイを行う。
【００４９】
前記第１液晶表示装置２００は前記ドライバ１００のｎ個の信号電極ライン（ＳＥＧ１−ＳＥＧｎ）にそれぞれ連結されるｎ個の信号電極と、前記ｍ個のスキャン電極ライン（ＣＯＭ１−ＣＯＭｍ）のうち１からｋまでのスキャン電極ライン（ＣＯＭ１−ＣＯＭｋ）にそれぞれ連結されるｋ個のスキャン電極とを備える。従って、第１液晶表示装置２００はｎ×ｋ個のピクセルが形成される。
【００５０】
前記第２液晶表示装置３００は前記ドライバ１００のｎ個の信号電極ライン（ＳＥＧ１−ＳＥＧｎ）にそれぞれ連結されるｎ個の信号電極と、前記ｍ個のスキャン電極ライン（ＣＯＭ１−ＣＯＭｍ）のうちｋ＋１からｍまでのスキャン電極ライン（ＣＯＭｋ＋１−ＣＯＭｍ）にそれぞれ連結されるｍ−ｋ個のスキャン電極とを備える。従って、第２液晶表示装置３００はｎ×（ｍ−ｋ）個のピクセルが形成される。
【００５１】
ここで、前記ｎ個の信号電極ラインは前記ドライバ１００と第１液晶表示装置２００のｎ個の信号電極を連結するｎ個の第１信号電極ラインと、その第１液晶表示装置２００のｎ個の信号電極と第２液晶表示装置３００のｎ個の信号電極とを連結するｎ個の第２信号電極ラインから構成されている。
【００５２】
一方、前記ドライバ１００、第１、第２液晶表示装置２００、３００の構成において、図面には示してないが、スキャン電極ラインを共通にして前記一つのドライバ１００が第１、第２液晶表示装置２００、３００を駆動するようにすることもできる。即ち、前記ドライバ１００はｎ個のスキャン電極ライン（ＣＯＭ１−ＣＯＭｎ）とｍ個の信号電極ライン（ＳＥＧ１−ＳＥＧｍ）の駆動を調整して、システムコントローラから印加される制御信号に従って、第１、第２液晶表示装置２００、３００に数字や文字、図形のディスプレイを行う。
【００５３】
前記第１液晶表示装置２００は前記ドライバ１００のｎ個のスキャン電極ライン（ＣＯＭ１−ＣＯＭｎ）にそれぞれ連結されるｎ個のスキャン電極と、前記ｍ個の信号電極ライン（ＳＥＧ１−ＳＥＧｍ）のうち１からｋまでの信号電極ライン（ＳＥＧ１−ＳＥＧｋ）にそれぞれ連結されるｋ個の信号電極とを備える。従って、第１液晶表示装置２００はｎ×ｋ個のピクセルが形成される。
【００５４】
前記第２液晶表示装置３００は前記ドライバ１００のｎ個のスキャン電極ライン（ＣＯＭ１−ＣＯＭｎ）にそれぞれ連結されるｎ個のスキャン電極と、前記ｍ個の信号電極ライン（ＳＥＧ１−ＳＥＧｎ）のうちｋ＋１からｍまでの信号電極ライン（ＳＥＧｋ＋１−ＳＥＧｍ）にそれぞれ連結されるｍ−ｋ個の信号電極とを備える。  従って、第２液晶表示装置３００はｎ×（ｍ−ｋ）個のピクセルが形成される。
【００５５】
ここで、前記ｎ個のスキャン電極ラインはドライバ１００と第１液晶表示装置２００のｎ個のスキャン電極を連結するｎ個の第１スキャン電極ラインと、その第１液晶表示装置２００のｎ個のスキャン電極と第２液晶表示装置３００のｎ個のスキャン電極とを連結するｎ個の第２スキャン電極ラインから構成されている。
【００５６】
このような構成において、前記第１液晶表示装置２００は第２液晶表示装置３００より大きな画面を有しており、移動通信端末機に設けられる場合、移動通信端末機のフォルダーの内側に設けられ、主画面の役割を果たす。そして、第２液晶表示装置３００は移動通信端末機のフォルダーの外側に設けられ、副画面の役割を果たす。また、ドライバ１００と第１、第２液晶表示装置２００、３００間の信号インターフェース（信号電極ライン及びスキャン電極ライン）はフレキシブルワイヤからなっている。
【００５７】
前記したように、一つのドライバ１００によって、第１、第２液晶表示装置２００、３００を両面ディスプレイのために構成すると次の通りである。
【００５８】
図４は本発明の第１実施の形態の移動通信端末機の表示装置を示す構成図である。
【００５９】
バックライト照明時、光源の光が安定して分散され、均一のバックライトを提供させるための導光板Ａが中央に配置され、第１液晶表示装置２００がその導光板Ａの上面に配置され、第２液晶表示装置３００が導光板Ａの背面に配置されている。従って、前記導光板Ａは第１液晶表示装置２００及び第２液晶表示装置３００にバックライト光源を同時に供給し、第１液晶表示装置２００と第２液晶表示装置３００の表示方向は互いに反対となる。
【００６０】
このとき、導光板Ａは第１液晶表示装置２００の面積に相応するサイズで形成され、第１液晶表示装置２００より第２液晶表示装置３００のサイズが小さいので、前記第２液晶表示装置３００が形成されてない導光板Ａの残りの部分には光源の光の損失を防止するとともに、外部からの光の流入を遮断するための遮光膜Ｂが形成される。そして、その遮光膜Ｂの上にドライバ１００が配置され、そのドライバ１００と第１液晶表示装置２００の間にはフレキシブルワイヤ（ＦＰＣ）を介して信号ラインが連結され、前記第１液晶表示装置２００と第２液晶表示装置３００の間にもフレキシブルワイヤ（ＦＰＣ）を介して信号ラインが連結される。
【００６１】
一方、図５は本発明の第２実施の形態の移動通信端末機の表示装置を示す構成図である。
【００６２】
本発明の第２実施の形態の移動通信端末機の表示装置は前記ドライバ１００をフォルダーカバーに内装したものである。即ち、第１、第２液晶表示装置２００、３００と導光板Ａ及び遮光膜Ｂは前記図４のように配置され、ドライバ１００のみをフレキシブルワイヤ（ＦＰＣ）を介してフォルダーカバーの本体に内装させる。
【００６３】
このように、第１、第２液晶表示装置より構成された表示装置を移動通信端末機のフォルダーに装着する場合、フォルダーの内側に主画面の第１液晶表示装置２００が表示されるように固定し、第２液晶表示装置部分に相応する部分のフォルダーに窓を形成して、第２液晶表示装置３００がフォルダーの外側に表示されるように設置する。その具体的な状態を図７及び図８に示した。
【００６４】
図７は本発明によるフォルダーが開いた状態における移動通信端末機の表示装置構成図であり、図８は本発明によるフォルダーが閉まった状態における移動通信端末機の表示装置構成図である。
【００６５】
図７に示すように、移動通信端末機は本体４００とフォルダーカバー４１０とに分離され、前記本体４００とフォルダーカバー４１０はヒンジ４３０で結合されており、前記本体４００にはフォルダーカバー４１０の開閉状態を感知するためのフォルダースイッチ４２０が設けられており、前記フォルダーカバー４１０の内側には前記第１液晶表示装置２００が表示され、フォルダーカバー４１０の外側には第２液晶表示装置３００が表示されるように構成されている。
【００６６】
前述したように、主画面の第１液晶表示装置２００と副画面の第２液晶表示装置３００を一つのドライバ１００で駆動して、数字や文字、または図形のグラフィックを表示するためのシステムの構成は次の通りである。
【００６７】
図６は本発明の移動通信端末機の表示装置の駆動を示す構成図である。
【００６８】
図６で分かるように、二つの液晶表示装置を一つのドライバを介して駆動するための本発明の移動通信端末機の表示装置は、コントローラ７０、ＲＡＭ８０、ＲＯＭ９０、ドライバ１００、フレームメモリ１１０からなっている。
【００６９】
ここで、コントローラ７０は第１液晶表示装置２００及び第２液晶表示装置３００のディスプレイのための全般的な動作を制御し、特に、図７で分かるように、フォルダーカバー４１０の開閉によりスイッチングされるフォルダースイッチ４２０の信号に従って、フォルダーカバー４１０の内側に形成された第１液晶表示装置２００を活性化させたり、図８で分かるように、フォルダーカバー４１０の外側に形成され、着信信号時、発信者の情報、名前、現在の時間情報などの簡略の情報を提供する第２液晶表示装置３００を活性化させる。
【００７０】
ＲＡＭ８０は揮発性メモリ素子として入力される信号の一時貯蔵やブートしたデータを貯蔵して、コントローラ７０の処理動作が迅速に行われるようにし、ＲＯＭ９０は不揮発性メモリ素子としてコントローラ７０の全般的な運用アルゴリズムを設定する。
【００７１】
前記ドライバ１００は前記コントローラ７０から文字や数字または図形のグラフィックのために印加される制御信号に従って、複数個の信号電極（ＳＥＧ１−ＳＥＧｎ）と複数個のスキャン電極（ＣＯＭ１−ＣＯＭｍ）の駆動を調整して、フォルダーカバー４００の内／外面に配置される第１、第２液晶表示装置２００、３００のディスプレイを選択的にドライブする。フレームメモリ１１０はディスプレイ制御のために印加される信号をフレーム単位で処理して、該文字や数字、または図形が安定してディスプレイされるようにする。
【００７２】
以上のように構成された本発明の移動通信端末機において、フォルダーの開閉によりディスプレイさせる方法は次の通りである。
【００７３】
図９は本発明の移動通信端末機の表示装置の駆動方法を示す動作順序図である。
【００７４】
まず、移動通信端末機に電源が供給されると、コントローラ７０はＲＡＭ８０とＲＯＭ９０に設定されたアルゴリズム及び運用プログラムに従って初期化され、初期化ブートが完了すると、待機モードに進入して、ヒンジ４３０を中心に開閉されるフォルダーカバー４１０の開閉により、スイッチングされるフォルダースイッチ４２０の信号を分析する。
【００７５】
前記フォルダースイッチ４２０の信号がフォルダーカバー４１０が閉まっていると認識すると、コントローラ７０はフォルダーカバー４１０の外側に形成された副画面の第２液晶表示装置３００を介して、現在の時間及び移動通信端末機の状態情報をディスプレイさせるためのモードと判断して、それに対する制御信号をドライバ１００に印加する。
【００７６】
このとき、ドライバ１００は印加される制御信号に従って、移動通信端末機の状態情報及び現在の時間情報などがフォルダーカバー４１０の外側に形成された第２液晶表示装置３００にディスプレイされるようにする。即ち、前記フレームメモリ部１１０に貯蔵されたディスプレイ実現フレーム信号を判読して、１からｎまでの信号電極（ＳＥＧ１−ＳＥＧｎ）とｋ＋１からｍまでのスキャン電極（ＣＯＭｋ＋１−ＣＯＭｍ）のみを制御して、第２液晶表示装置３００のディスプレイを駆動する。
【００７７】
以後、前記のように、移動通信端末機の多様な情報がフォルダーカバー４１０の外側に形成された副画面の第２液晶表示装置３００を介してディスプレイされる状態において、前記フォルダースイッチ４２０の信号がフォルダーカバー４１０が開いていると判断すると、コントローラ７０は、第２液晶表示装置３００を介してディスプレイされる状態情報が第１液晶表示装置２００を介してディスプレイされるように切換させるための制御信号をドライバ１００に印加する。
【００７８】
従って、ドライバ１００は第２液晶表示装置３００のディスプレイを遮断し、第１液晶表示装置２００を介して多様な情報が表示されるようにする。即ち、フレームメモリ１１０に貯蔵されているディスプレイの実現のためのフレーム情報を判読して、１からｎまでの信号電極（ＳＥＧ１−ＳＥＧｎ）と１からｋまでのスキャン電極（ＣＯＭ１−ＣＯＭｋ）を駆動して、第１液晶表示装置２００のディスプレイを駆動する。
【００７９】
また、前記のようにフォルダーカバー４１０が閉まっていて、第２液晶表示装置３００により概略的な状態情報のみをディスプレイする状態で着信信号が検出される場合、コントローラ７０は発信者の情報を分析した後、分析した発信者の情報を第２液晶表示装置３００を介してディスプレイする。従って、加入者はディスプレイされる発信者の情報に従い、通話の接続を選択することができ、文字メッセージの受信や呼び出しメッセージの受信時、該当情報を便利に認知することができる。
【００８０】
【発明の効果】
以上説明したような本発明の移動通信端末機及び移動通信端末機の表示装置によれば、次のような効果がある。
【００８１】
第一に、フォルダーの内外面にそれぞれ液晶表示装置を備え、これらの液晶表示装置を一つの駆動手段でドライブできるようにして、フォルダーの外側に設けられた液晶表示装置に着信信号に対する発信者情報の確認と文字メッセージの受信可否及び時間情報などの動作状況を表示するので、便利に使うことができる。
【００８２】
第二に、二つの液晶表示装置を一つのドライバで制御し、一つの導光板でバックライトを提供するので、消費電力を減少させるだけでなく、一回の充電で使用可能な時間を延長することができる。
【００８３】
第三に、二つの液晶表示装置を一つのドライバで制御し、一つの導光板でバックライトを提供するので、システム内の限定した空間を効率的に用いて軽量化及びスリム化を実現することができる。
【００８４】
第四に、フォルダーの外側に設けられた液晶表示装置に、着信信号に対する発信者情報の確認と文字メッセージの受信可否及び時間情報などの動作状況を表示するので、フォルダーカバーの開閉回数を減らせることができ、それにより発生するバックライト照明などの不必要な電力消費を排除することで、使用時間を延長することができる。
【図面の簡単な説明】
【図１】一般的な液晶表示装置の構造断面図。
【図２】一般的な二つの液晶表示装置を用いて実現した移動通信端末機の両面表示装置の構成図。
【図３】本発明による二つの液晶表示装置が一つの駆動手段に連結される状態を示す構成図。
【図４】本発明の第１実施形態による移動通信端末機の表示装置を示す構成図。
【図５】本発明の第２実施形態による移動通信端末機の表示装置を示す構成図。
【図６】本発明による移動通信端末機の表示装置の駆動を示す構成図。
【図７】本発明によるフォルダーが開いた状態における移動通信端末機の表示装置を示す構成図。
【図８】本発明によるフォルダーが閉まった状態における移動通信端末機の表示装置を示す構成図。
【図９】本発明による移動通信端末機の表示装置の駆動方法を示す動作順序図。
【符号の説明】
１０  液晶表示装置の断面図
１１、１５  偏光板
１２  上部基板
１３  下部基板
１４  液晶
１６  反射板
２６ａ、２００  第１液晶表示装置
２６ｂ、３００  第２液晶表示装置
４００  本体
４１０  フォルダーカバー
４２０  フォルダースイッチ
４３０  ヒンジ
Ａ  導光板
Ｂ  遮光板
【図１】
0003745939.tif 000002
【図２】
0003745939.tif 000003
【図３】
0003745939.tif 000004
【図４】
0003745939.tif 000005
【図５】
0003745939.tif 000006
【図６】
0003745939.tif 000007
【図７】
0003745939.tif 000008
【図８】
0003745939.tif 000009
【図９】
0003745939.tif 000010